(57)【要約】【課題】地盤の掘削を円滑に行うことができ、掘削した土砂を円滑に排出することのできる穴掘り用ショベルを提供する。【解決手段】本発明に係る穴掘り用ショベルＳは、一対のショベル本体１，２と、該ショベル本体１，２を相対的に移動可能に連結する連結手段３とを備える。一対のショベル本体１，２は、棒状の柄部４，５の先端に直接的又は間接的に連設されたショベル部６，７を含む。穴掘り用ショベルＳは、一対のショベル本体１，２の相対的な移動に伴って、ショベル部６，７同士が接離するように構成されている。穴掘り用ショベルＳは、また、少なくとも何れか一方の柄部４，５に取り付けられ、作業者が足で踏み込み可能な足踏部１１と、少なくとも何れか一方の柄部４，５に取り付けられ、作業者が把持可能な把持部１２と、を更に備える。【選択図】図１
2013083103.tif 000002
【特許請求の範囲】
【請求項１】
一対のショベル本体と、
該一対のショベル本体を相対的に移動可能に連結する連結手段とを備え、
一対のショベル本体のそれぞれは、
棒状の柄部と、
該柄部の先端に直接的又は間接的に連設されたショベル部とを含み、
前記一対のショベル本体の相対的な移動に伴って、該一対のショベル本体の前記ショベル部同士が接離するように構成された穴掘り用ショベルにおいて、
作業者が足で踏み込み可能な足踏部と、
作業者が把持可能な把持部と、を更に備え、
前記足踏部が前記一対のショベル本体のうちの少なくとも何れか一方の前記柄部に取り付けられ、
前記把持部が前記一対のショベル本体のうちの少なくとも何れか一方の前記柄部に取り付けられている
ことを特徴とする穴掘り用ショベル。
【請求項２】
前記足踏部は、棒状に形成され、柄部に対して交差するように設けられている請求項１に記載の穴掘り用ショベル。
【請求項３】
前記足踏部は、柄部の長手方向に間隔をあけて複数設けられている請求項１又は２に記載の穴掘り用ショベル。
【請求項４】
前記把持部は、棒状に形成され、柄部に対して交差するように設けられている請求項１乃至３の何れか１項に記載の穴掘り用ショベル。
【請求項５】
前記把持部は、柄部の長手方向に間隔をあけて複数設けられている請求項１乃至４の何れか１項に記載の穴掘り用ショベル。
【請求項６】
前記連結手段は、それぞれが第一端部及び第二端部を有する少なくとも二つのリンク体を備え、
該二つのリンク体は、互いに平行又は略平行をなすように配置され、
該二つのリンク体のそれぞれの第一端部が一対のショベル本体のうちの一方のショベル本体の柄部に枢結されるとともに、
前記二つのリンク体のそれぞれの第二端部が一対のショベル本体のうちの他方のショベル本体の柄部に枢結され、
一対のショベル本体のうちの一方のショベル本体のショベル部は、柄部の先端に固設される一方、
一対のショベル本体のうちの他方のショベル本体のショベル部は、柄部の先端側に配置されたリンク体に固設されるとともに、該リンク体を柄部に枢結する軸を介して該柄部に連設されている請求項１乃至５の何れか１項に記載の穴掘り用ショベル。
【発明の詳細な説明】
【技術分野】
【０００１】
本発明は、地盤に穴を掘るための穴掘り用ショベルに関する。
【背景技術】
【０００２】
一般的に、地盤に穴や溝を掘る場合に、ショベルカー等の建設機械や、専用の掘削機、掘削機を搭載した車両等が使用されるが、車両が進入できない場合や、掘削機が搬入できない場合、穴や溝は、手掘りされる。この場合に、穴掘り用ショベルが用いられる。
【０００３】
かかる穴掘り用ショベルは、一対のショベル本体と、該一対のショベル本体を相対的に移動可能に連結する連結手段とを備える。一対のショベル本体のそれぞれは、棒状の柄部と、該柄部の先端に直接的又は間接的に連設されたショベル部とを含む。そして、この種の穴掘り用ショベルは、一対のショベル本体の相対的な移動に伴って、該一対のショベル本体のショベル部同士が接離するように構成されている。
【０００４】
具体例として、この種の穴掘り用ショベルには、一対のショベル本体の柄部同士が連結手段としての軸を介して枢結されたものがある。かかる穴掘り用ショベルは、一対のショベル本体の柄部同士を接離させる（連結手段である軸を支点に相対回転させる）ことで、一対のショベル部が互いに接離するように構成される。これにより、該穴掘り用ショベルは、一対のショベル本体のショベル部同士が接近した状態（閉じた状態）と、ショベル部同士が離れた状態（開いた状態）とに切り替え可能になっている。すなわち、穴掘り用ショベルは、掘削した土砂を掴むことができる状態と、掴んでいた土砂を離すことができる状態とに切り替え可能になっている。（例えば、特許文献１，２参照）。
【先行技術文献】
【特許文献】
【０００５】
【特許文献１】特許第２６６３２５４号公報
【特許文献２】実用新案登録第３０６８８６６号公報
【発明の概要】
【発明が解決しようとする課題】
【０００６】
ところで、上記構成の穴掘り用ショベルは、上述の如く、一対のショベル本体のそれぞれの柄部が棒状に形成されるため、柄部が作業者にとって把持し辛い態様になっている。そのため、上記構成の穴掘り用ショベルは、穴や溝を掘るときに、作業者が柄部の軸心方向に力を伝え難いといった問題がある。すなわち、上記構成の穴掘り用ショベルは、地盤を掘削する際に、ショベル部を地盤に押し込みにくく、また、掘削した土砂を排出する際に、穴や溝から引き上げにくいといった問題がある。
【０００７】
そこで、本発明は、かかる事情に鑑みてなされたもので、地盤の掘削を円滑に行うことができ、掘削した土砂を円滑に排出することのできる穴掘り用ショベルを提供することを課題とする。
【課題を解決するための手段】
【０００８】
本発明に係る穴掘り用ショベルは、一対のショベル本体と、該一対のショベル本体を相対的に移動可能に連結する連結手段とを備え、一対のショベル本体のそれぞれは、棒状の柄部と、該柄部の先端に直接的又は間接的に連設されたショベル部とを含み、前記一対のショベル本体の相対的な移動に伴って、該一対のショベル本体の前記ショベル部同士が接離するように構成された穴掘り用ショベルにおいて、作業者が足で踏み込み可能な足踏部と、作業者が把持可能な把持部と、を更に備え、前記足踏部が前記一対のショベル本体のうちの少なくとも何れか一方の前記柄部に取り付けられ、前記把持部が前記一対のショベル本体のうちの少なくとも何れか一方の前記柄部に取り付けられていることを特徴とする。
【０００９】
上記構成の穴掘り用ショベルによれば、地盤を掘削する際に、作業者がショベル本体の柄部を把持しつつ、柄部に取り付けられた足踏部を足で踏み込むことで、ショベル部に下方（地盤）に向かう力（踏み込み力）を効率的に加えることができ、ショベル部を地盤に効率的に押し込むことができる。従って、上記構成の穴掘り用ショベルは、地盤を効率的に掘削できる。
【００１０】
そして、地盤を掘削した上で作業者が一対のショベル本体（柄部）を相対的に移動させると、一対のショベル部が互いに接近する（閉じる）。これにより、一対のショベル部が掘削した土砂を掴むことになる。そして、一対のショベル部が掘削した土砂を掴んだ状態で、作業者がショベル本体の柄部に取り付けられた把持部を把持して一対のショベル本体を持ち上げれば（上向きの力を作用させれば）、一対のショベル本体全体（穴掘り用ショベル）が穴や溝から円滑に引き上げられる。そして、作業者が一対のショベル本体（柄部）を土砂を掴む時とは反対方向に移動させると、一対のショベル部が互いに離間する（開く）。これにより、一対のショベル部は、掴んでいた土砂を排出する。
【００１１】
このように、上記構成の穴掘り用ショベルは、作業者にとって操作性に優れ、地盤の掘削を円滑に行うことができ、掘削した土砂を円滑に排出することができるという効果を奏し得る。
【００１２】
また、本発明に係る穴掘り用ショベルでは、前記足踏部は、棒状に形成され、柄部に対して交差するように設けられていることが好ましい。このようにすれば、作業者が足踏部を踏みやすくなる。これにより、該穴掘り用ショベルは、土砂を掘削するにあたって、足踏部に対する踏み込み力（下向きの力）をショベル部に対して効率的に作用させることができ、効率的な掘削を行うことができる。
【００１３】
また、本発明に係る穴掘り用ショベルでは、前記足踏部は、柄部の長手方向に間隔をあけて複数設けられていることが好ましい。このようにすれば、土砂を掘削するにあたって、作業者自身が踏み込み易い足踏部を選択することができる。すなわち、該穴堀用ショベルは、土砂を掘削するにあたって、作業者が穴や溝の深さに応じて踏み込みやすい足踏部（下方に向けての力を作用させ易い足踏部）を踏み込むことができ、足踏部に対する踏み込み力（下向きの力）をショベル部に対してより効率的に作用させることができる。
【００１４】
また、本発明に係る穴掘り用ショベルでは、前記把持部は、棒状に形成され、柄部に対して交差するように設けられていることが好ましい。このようにすれば、作業者が上向きの力を作用させ易い状態で把持部を把持することができる。これにより、該穴掘り用ショベルは、掘削した土砂を排出するにあたって、作業者が持ち上げ易くなり、土砂の引き上げ（排出）を円滑に行うことできる。
【００１５】
また、本発明に係る穴掘り用ショベルでは、前記把持部は、柄部の長手方向に間隔をあけて複数設けられていることが好ましい。このようにすれば、掘削した土砂を排出するにあたって、作業者自身が把持し易い把持部を選択することができる。すなわち、該穴掘り用ショベルは、掘削した土砂を排出するにあたって、作業者が穴や溝の深さに応じて把持し易い把持部（引き上げ力の作用させ易い把持部）を把持することができ、把持部を介して全体に対して上向きの力（引き上げ力）を作用させることができる。
【００１６】
また、本発明に係る穴掘り用ショベルでは、前記連結手段は、それぞれが第一端部及び第二端部を有する少なくとも二つのリンク体を備え、該二つのリンク体は、互いに平行又は略平行をなすように配置され、該二つのリンク体のそれぞれの第一端部が一対のショベル本体のうちの一方のショベル本体の柄部に枢結されるとともに、前記二つのリンク体のそれぞれの第二端部が一対のショベル本体のうちの他方のショベル本体の柄部に枢結され、一対のショベル本体のうちの一方のショベル本体のショベル部は、柄部の先端に固設される一方、一対のショベル本体のうちの他方のショベル本体のショベル部は、柄部の先端側に配置されたリンク体に固設されるとともに、該リンク体を柄部に枢結する軸を介して該柄部に連設されていることが好ましい。
【００１７】
上記構成の穴掘り用ショベルによれば、一対のショベル本体のそれぞれの柄部、及び二つのリンク体が平行リンクを構成する。従って、二つのリンク体のそれぞれが軸を支点にして回転するのに併せて、一対のショベル本体の柄部同士が平行移動する。すなわち、一対のショベル本体の柄部同士が平行移動すると、二つのリンク体のそれぞれが柄部に対する枢結支点となる軸を中心に回転する。
【００１８】
これに伴い、他方のショベル本体のショベル部は、柄部の先端側に配置されたリンク体と連動して回転する。すなわち、一対のショベル本体の柄部同士が平行移動することで、他方のショベル本体のショベル部が柄部の先端側にあるリンク体と一緒に回転する。すなわち、他方のショベル本体のショベル部は、柄部の先端側にあるリンク体を柄部に枢結する軸回りで回転する。これにより、他方のショベル本体のショベル部が、一方のショベル本体のショベル部に対して接離する。従って、一対のショベル本体の柄部同士を平行移動させることで、一対のショベル部が掘削した土砂を掴むことのできる状態と、一対のショベル部が掴んだ土砂を排出する状態とに切り換えることができる。
【００１９】
そして、上述の如く、一対のショベル本体のそれぞれの柄部、及び二つのリンク体が平行リンクを構成するため、上述の如く、一方のショベル本体（柄部）と他方のショベル本体（柄部）とが二つのリンク体を介して平行移動しても、二つの柄部の間隔が不必要に広くなることがない。従って、上記構成の穴掘り用ショベルによれば、穴の内部空間が狭い場合でも、該穴の土砂を確実に掴むことができる。
【発明の効果】
【００２０】
以上のように、本発明に係る穴掘り用ショベルによれば、地盤の掘削を円滑に行うことができ、掘削した土砂を円滑に排出することができるといった優れた効果を奏し得る。
【図面の簡単な説明】
【００２１】
【図１】本発明の一実施形態に係る穴掘り用ショベルの正面図を示す。
【図２】同実施形態に係る穴掘り用ショベルの右側面図を示す。
【図３】同実施形態に係る穴掘り用ショベルのショベル部の部分拡大正面図を示す。
【図４】同実施形態に係る穴掘り用ショベルの右側面部分拡大図を示す。
【図５】同実施形態に係る穴掘り用ショベルの右側面図であって、ショベル部が相対的に開いた状態を示す。
【図６】同実施形態に係る穴掘り用ショベルの右側面図であって、ショベル部が相対的に閉じた状態を示す。
【図７】同実施形態に係る穴掘り用ショベルの右側面図であって、二つの柄部がロック部材でロックされた状態を示す。
【発明を実施するための形態】
【００２２】
以下、本発明の一実施形態に係る穴掘り用ショベルについて、図１乃至４を参酌しつつ説明する。
【００２３】
本実施形態に係る穴掘り用ショベルＳは、一対のショベル本体１，２と、該一対のショベル本体１，２を相対的に移動可能に連結する連結手段３とを備える。
【００２４】
本実施形態に係る一対のショベル本体１，２（以下、一方のショベル本体を第一ショベル本体１といい、他方のショベル本体を第二ショベル本体２という）のそれぞれは、棒状の柄部４，５と、該柄部４，５の先端に直接的又は間接的に連設されたショベル部６，７とを含む。
【００２５】
本実施形態において、第一ショベル本体１及び第二ショベル本体２のそれぞれの柄部４，５は、金属製又は木製であり、略全長に亘って略同径の棒状に形成されている。なお、第一ショベル本体１及び第二ショベル本体２のそれぞれの柄部４，５は、同一形態に形成してもよいが、本実施形態においては、第二ショベル本体２の柄部５の基端部にハンドル部２ａが設けられている。
【００２６】
そして、図２及び図４に示す如く、第一ショベル本体１及び第二ショベル本体２のそれぞれの柄部４，５の先端側に変位した位置（中央よりも先端側の領域）には、連結手段３の後述する軸１０ａ，１０ｂ，１０ｃ，１０ｄを挿通する穴（図示せず）が軸心方向に間隔を開けて複数箇所（本実施形態では、二箇所）に設けられている。第一ショベル本体１の柄部４に設けられた複数の穴の間隔と、第二ショベル本体２の柄部５に設けられた複数の穴の間隔とは、同一に設定されている。なお、本実施形態において、第一ショベル本体１の柄部４は、第二ショベル本体２の柄部５よりも短く形成されている。
【００２７】
第一ショベル本体１及び第二ショベル本体２のそれぞれのショベル部６，７は、柄部４，５の延びる方向（以下、第一方向）を曲率中心とした円弧状に（湾曲して）形成されたショベルヘッド部６ａ，７ａを備えている。第一ショベル本体１及び第二ショベル本体２のそれぞれのショベルヘッド部６ａ，７ａにおける第一方向と直交する方向の幅は、第一方向における先端側に向かうにつれて漸減している。すなわち、第一ショベル本体１及び第二ショベル本体２のそれぞれのショベルヘッド部６ａ，７ａは、先細りするようになっている。
【００２８】
そして、本実施形態において、第一ショベル本体１及び第二ショベル本体２のそれぞれのショベル部６，７は、ショベルヘッド部６ａ，７ａが湾曲状に形成されるに伴い、該ショベルヘッド部６ａ，７ａの第一方向の基端側で開放する部分を閉塞するフレーム部６ｂ，７ｂをさらに備えている。第一ショベル本体１及び第二ショベル本体２のそれぞれのショベル部６，７において、フレーム部６ｂ，７ｂは、平面視においてショベルヘッド部６ａ，７ａの第一方向における開放部分と対応する形状のプレートで構成されており、ショベルヘッド部６ａ，７ａの基端部に沿って接続されている。
【００２９】
第一ショベル本体１のショベル部６及び第二ショベル本体２のショベル部７は、ショベルヘッド部６ａ，７ａの湾曲面を対向させた状態で配置されている。そして、第一ショベル本体１のショベル部６のフレーム部６ａには、該第一ショベル本体１の柄部４が間接的に連結され、第二ショベル本体２のショベル部７のフレーム部７ａには、該第二ショベル本体２の柄部５が直接的に連結されている。
【００３０】
より具体的には、第一ショベル本体１のショベル部６は、連結手段３の後述する第一軸（軸）１０ａを介して柄部４の先端部に連結（枢結）されている。本実施形態においては、第一ショベル本体１のショベル部６は、連結手段３の後述する第一リンク体８と一体的に形成されており、該第一リンク体８とともに柄部４に枢結されている。すなわち、第一ショベル本体１において、ショベル部６のフレーム部６ａに第一リンク体８が一体的に連結されており、該第一リンク体８が柄部４に枢結されることで、該ショベル本体６が柄部４に枢結された状態になっている。そして、第一ショベル本体１のショベル部６は、第一リンク体８と直角又は略直角をなしている。
【００３１】
これに対し、第二ショベル本体２のショベル部７は、柄部５の先端が連結されている。本実施形態において、第二ショベル本体２のショベル部７のフレーム部７ａに柄部５の先端が固設されている。
【００３２】
連結手段３は、第一端部８ａ，９ａ及び第二端部８ｂ，９ｂを有する少なくとも二つのリンク体８，９を備える。本実施形態に係る連結手段３は、二つのリンク体８，９（一方のリンク体を第一リンク体８といい、他方のリンク体を第二リンク体９という）を備えている。
【００３３】
より具体的には、本実施形態に係る連結手段３は、第一端部８ａ及び第二端部８ｂを有する第一リンク体８と、第一端部９ａ及び第二端部９ｂを有する第二リンク体９と、第一リンク体８の第一端部を８ａを第一ショベル本体１の柄部４に枢結する軸（以下、第一軸という）１０ａと、第一リンク体８の第二端部を８ｂを第二ショベル本体２の柄部５に枢結する軸（以下、第二軸という）１０ｂと、第二リンク体９の第一端部を９ａを第一ショベル本体１の柄部４に枢結する軸（以下、第三軸という）１０ｃと、第二リンク体９の第二端部を９ｂを第二ショベル本体２の柄部５に枢結する軸（以下、第四軸という）１０ｄとを備えている。
【００３４】
第一リンク体８は、第一ショベル本体１の柄部４の先端部と第二ショベル本体１の柄部５の先端部とを連結している。これに対し、第二リンク体９は、第一リンク体８よりも柄部４，５の基端側で第一ショベル本体１の柄部４と第二ショベル本体１の柄部５とを連結している。
【００３５】
より具体的に説明すると、第一リンク体８及び第二リンク体９は、長手方向の長さが同一に設定されている。そして、第一リンク体８の第一端部８ａが第一ショベル本体１における柄部４の先端側に設けられた穴に挿通された第一軸１０ａを介して該柄部４に枢結され、第一リンク体８の第二端部８ｂが第二ショベル本体２における柄部５の先端側に設けられた穴に挿通された第二軸１０ｂを介して該柄部５に枢結されている。
【００３６】
これに対し、第二リンク体９の第一端部９ａが第一ショベル本体１における柄部４の基端側に設けられた穴に挿通された第三軸１０ｃを介して該柄部４に枢結され、第二リンク体９の第二端部９ｂが第二ショベル本体２における柄部５の基端側に設けられた穴に挿通された第四軸１０ｄを介して該柄部５に枢結されている。
【００３７】
これにより、第一リンク体８及び第二リンク体９は、第一ショベル本体１の柄部４と第二ショベル本体２の柄部５とが平行状態をなすように連結した上で、互いに平行又は略平行をなすように配置されている（図２，４参照）。すなわち、本実施形態に係る穴掘り用ショベルＳは、第一リンク体８、第二リンク体９、第一ショベル本体１の柄部４及び第二ショベル本体２の柄部５とが平行リンクを構成している。なお、第一リンク体８の第一端部８ａは、上述の如く、第一ショベル本体１の柄部４に第一軸１０ａによって枢結された状態で、第一ショベル本体１のショベル部６（フレーム部６ａ）に連結されている。
【００３８】
本実施形態においては、図１及び３に示すように、第一リンク体８及び第二リンク体９のそれぞれは、二つの帯状のリンクプレート８ｃ，８ｄ，９ｃ，９ｄで構成されている。そして、第一リンク体８及び第二リンク体９のそれぞれにおいて、二つのリンクプレート８ｃ，８ｄ，９ｃ，９ｄは、第一ショベル本体１及び第二ショベル本体２のそれぞれの柄部４，５を両側から挟むように配置され、軸（第一軸〜第四軸１０ａ，１０ｂ，１０ｃ，１０ｄ）を介して柄部４，５に枢結されている。
【００３９】
本実施形態に係る穴掘り用ショベルＳでは、上述の如く、第一リンク体８、第二リンク体９、第一ショベル本体１の柄部４及び第二ショベル本体２の柄部５とが平行リンクを構成しているため、第一ショベル本体１（柄部４）と第二ショベル本体２（柄部５）とが第一リンク体８（８ｃ，８ｄ）及び第二リンク体９（９ｃ，９ｄ）を介して相対的に平行移動する。すなわち、第一ショベル本体１の柄部４及び第二ショベル本体２の柄部５は、平行状態を維持しつつ不必要に間隔が広がることなく相対移動する。
【００４０】
そして、図５乃至７に示すように、第一ショベル本体１の柄部４及び第二ショベル本体２の柄部５が相対移動するに伴い、第一リンク体８（８ｃ，８ｄ）及び第二リンク体９（９ｃ，９ｄ）も平行状態を保ちつつ相対移動する。すなわち、第一リンク体８（８ｃ，８ｄ）及び第二リンク体９（９ｃ，９ｄ）は、平行状態を保ちつつ回転する。これにより、第一ショベル本体１のショベル部６と第二ショベル本体２のショベル部７とが接離するように構成されている。
【００４１】
具体的に説明すると、本実施形態に係る穴掘り用ショベルＳは、第一ショベル本体１（柄部４）が下方（地盤Ｇ）に向かうように、第一ショベル本体１（柄部４）と第二ショベル本体２（柄部５）とを平行移動させると、第一リンク体８は、第一端部８ａが第一ショベル本体１の柄部４に押された状態になり、第一端部８ａが第二端部８ｂよりも下方に位置するように第二軸１０ｂを中心にして回転する。これにより、第一リンク体８の第一端部８ａに連結された第一ショベル本体１のショベル部６が第一リンク体８とともに該第一リンク体８の第二端部８ｂを枢結した第二軸１０ｂを中心に回転し、第二ショベル本体２のショベル部７に接近する（閉じる）ようになっている（図６参照）。
【００４２】
これに対し、第一ショベル本体１（柄部４）が上方（地盤Ｇから遠ざかる方向）に向かうように、第一ショベル本体１（柄部４）と第二ショベル本体２（柄部５）とを平行移動させると、第一リンク体８は、第一端部８ａが第一ショベル本体１の柄部４に引き上げられた状態になり、第一端部８ａが第二端部８ｂよりも上方に位置するように第二軸１０ｂを中心にして回転する。これにより、第一リンク体８の第一端部８ａに連結された第一ショベル本体１のショベル部６は、第一リンク体８とともに該第一リンク体８の第二端部８ｂを枢結した第二軸１０ｂを中心に回転し、第二ショベル本体２のショベル部７から離れる（開く）ようになっている（図５参照）。
【００４３】
なお、本実施形態においては、第一リンク体８の第一端部８ａが第二ショベル本体２の柄部５の先端部に枢結されるのに対し、第一リンク体８の第二端部８ｂが第二ショベル本体２の柄部５の先端部よりも所定距離基端側に離れた位置に枢着されている。このように枢着位置が決定されることで、第一ショベル本体１のショベル部６と第二ショベル本体２のショベル部７とが接近したときに、両ショベル部６，７の先端同士が接近するように構成される。
【００４４】
図１及び２に戻り、本実施形態に係る穴掘り用ショベルＳは、作業者が足で踏み込み可能な足踏部１１と、作業者が把持可能な把持部１２と、を更に備える。
【００４５】
足踏部１１は、一対のショベル本体１，２のうちの少なくとも何れか一方の柄部４，５に取り付けられる。本実施形態においては、足踏部１１は、第二ショベル本体２の柄部５に取り付けられている。足踏部１１は、棒状に形成され、柄部４，５に対して交差するように設けられている。足踏部１１は、柄部４，５の長手方向に間隔をあけて複数（本実施形態においては、３個）設けられている。
【００４６】
把持部１２は、一対のショベル本体１，２のうちの少なくとも何れか一方の柄部４，５に取り付けられる。本実施形態においては、把持部１２は、第一ショベル本体１の柄部４に取り付けられている。把持部１２は、棒状に形成され、柄部４，５に対して交差するように設けられている。把持部１２は、柄部４の長手方向に間隔をあけて複数（本実施形態においては、３個）設けられている（図２参照）。
【００４７】
また、本実施形態において、穴掘り用ショベルＳは、図７に示すように、一対のショベル部６，７が閉じた状態（一対のショベル部６，７が土砂Ｄを掴んだ状態）で、第一ショベル本体１の柄部４と第二ショベル本体２の柄部５の相対位置を一定に保つためのロック部材１３を、更に備える。
【００４８】
ロック部材１３は、棒状に延びるように形成され、一方の端部に把持部１２を係止可能な係止部１３ａが形成されるとともに、他方の端部に足踏部１１を係止可能な係止部１３が形成されている。すなわち、ロック部材１３は、第一ショベル本体１の柄部４に取り付けられた把持部１２の何れか一つを係止部１３ａで係止するとともに、第二ショベル本体２の柄部５に取り付けられた足踏部１１であって、把持部１２に対応する位置（略同じ高さ）に配置された足踏部１１を係止部１３ｂで係止することで、把持部１２と足踏部１１とを連結できるように構成されている。これにより、かかるロック部材１３は、第一ショベル本体１及び第二ショベル本体２のそれぞれの柄部４，５の相対的な移動を制限するようになっている。すなわち、ロック部材１３は、一対のショベル部６，７を閉じた状態で維持させるようになっている。
【００４９】
なお、一対のショベル本体１，２の柄部４，５の相対的な移動を制限できる条件として、ロック部材１３は、第一ショベル本体１の柄部４と、第二ショベル本体２の柄部５とを結んだ線のうち、互いに平行又は略平行をなすように配置された二つのリンク体８，９と異なる方向に延びるように配置され、且つ、該ロック部材１３の長さが各リンク体８，９の長さと異なる長さに設定される必要である。
【００５０】
本実施形態に係る穴掘り用ショベルＳの構成についての説明は以上の通りであり、次に、本実施形態に係る穴掘り用ショベルＳを用いて地盤Ｇに穴を掘削する作業について、図５乃至７を参酌しつつ説明する。
【００５１】
本実施形態に係る穴掘り用ショベルＳを用いた掘削作業においては、まず、図５に示すように、作業者が第一ショベル本体１（柄部４）を上方（地盤Ｇから遠ざかる方向）に向けて移動させる。そうすると、第一ショベル本体１（柄部４）と第二ショベル本体２（柄部５）とを平行移動し、第一ショベル本体１のショベル部６と第二ショベル本体２のショベル部７が開いた状態（第一ショベル本体１のショベル部６が第二ショベル本体２のショベル部７から離れた状態）になる。
【００５２】
この状態で、作業者が、第二ショベル本体２のハンドル部２ａを把持し、第二ショベル本体２の柄部５に設けられた三個の足踏部１１の何れか（穴の深さに対応した踏みやすい足踏部１１）に足を乗せて踏み込み、第二ショベル本体２に下向き（地盤Ｇに向かう方向）の力を加える。
【００５３】
そして、作業者が、第二ショベル本体２（足踏部１１）に下向き（地盤Ｇに向かう方向）に力（踏み込み力）を加え続けることで、ショベル部７が地盤Ｇに徐々押し込まれ、地盤Ｇ（土砂Ｄ）を掘削する（図６，７参照）。
【００５４】
このような状態で、地盤Ｇ（土砂Ｄ）の掘削がある程度進行し、土砂Ｄが穴内に堆積すると、作業者は、第二ショベル本体２のハンドル部２ａを把持するとともに、第一ショベル本体１の柄部４の把持部１２を把持しつつ、該第一ショベル本体の柄部４を下方に向けて移動させる。このとき、第一ショベル本体１の柄部４は、第二ショベル本体２の柄部５に対して平行移動するとともに、第一リンク体８及び第二リンク体９も平行移動する。これに伴い、第一ショベル本体４のショベル部６が第二ショベル本体５のショベル部７に接近し、該一対のショベル部６，７が穴内に堆積された土砂Ｄを掴む（図６参照）。
【００５５】
そして、ショベル部６，７間で掴んだ土砂Ｄを穴から引き上げる場合には、作業者は、第二ショベル本体２のハンドル部２ａと第一ショベル本体１の柄部４に設けられた把持部１２であって、穴の深さに対応した把持部１２とを把持し、穴掘り用ショベルＳ全体（第一ショベル本体１及び第二ショベル本体２）を上方（地盤Ｇから遠ざかる方向）に向けて持ち上げて穴内から引き出す。なお、この場合、図７に示すように、第一ショベル本体１の把持部１２と、該把持部１２に対応する位置（略同じ高さ）に配置された第二ショベル本体２の足踏部１１とをロック部材１３を用いてロックすることで、一対のショベル本体１，２の柄部４，５同士の相対的な移動を規制し、一対のショベル部６，７で土砂Ｄを掴んだ状態で維持させておけば、作業者は穴掘り用スコップＳの引き上げ作業にのみ専念できる。
【００５６】
そして、穴掘り用ショベルＳを穴から引き上げた後、作業者は、第一ショベル本体１（柄部４）が上方（地盤Ｇから遠ざかる方向）に向かうように、第一ショベル本体１（柄部４）と第二ショベル本体２（柄部５）とを平行移動させる。そうすると、第一ショベル本体１のショベル部６は、第二ショベル本体２のショベル部７から離れ（開き）、該一対のショベル部６，７が掴んでいた土砂Ｄが排出される。
【００５７】
そして、作業者が本実施形態に係る穴掘り用ショベルＳを用いて上記作業を繰り返すことで、所望する深さの穴の掘削作業が完了する。
【００５８】
以上のように、本実施形態に係る穴掘り用ショベルＳは、第二ショベル本体２の柄部５に取り付けられた足踏部１１を備えているため、ショベル部７を地盤に効率的に押し込むことができ、地盤を効率的に掘削できる。また、穴掘り用ショベルＳは、第一ショベル本体１に取り付けられた把持部１２を備えているため、穴や溝から円滑に引き上げることができ、掘削した土砂を円滑に排出することができる。
【００５９】
また、本実施形態に係る穴掘り用ショベルＳによれば、足踏部１１は、棒状に形成され、柄部４，５に対して交差するように設けられているため、作業者が足踏部１１を踏み易く、足踏部１１に対する踏み込み力（下向きの力）をショベル部７に対して効率的に作用させることができ、効率的な掘削を行うことができる。
【００６０】
また、本実施形態に係る穴掘り用ショベルＳによれば、足踏部１１は、柄部５の長手方向に間隔をあけて複数設けられているため、土砂を掘削するにあたって、作業者自身が踏み込み易い足踏部１１を選択することができる。すなわち、該穴堀用ショベルＳは、土砂を掘削するにあたって、作業者が穴や溝の深さに応じて踏み込みやすい足踏部１１（下方に向けての力を作用させ易い足踏部１１）を踏み込むことができ、足踏部１１に対する踏み込み力（下向きの力）をショベル部７に対してより効率的に作用させることができる。
【００６１】
また、本実施形態に係る穴掘り用ショベルＳによれば、把持部１２は、棒状に形成され、柄部４に対して交差するように設けられているため、作業者が上向きの力を作用させ易い状態で把持部１２を把持することができる。これにより、該穴掘り用ショベルＳは、掘削した土砂を排出するにあたって、作業者が持ち上げ易くなり、土砂の引き上げ（排出）を円滑に行うことできる。
【００６２】
また、本実施形態に係る穴掘り用ショベルＳによれば、把持部１２は、柄部４の長手方向に間隔をあけて複数設けられているため、掘削した土砂を排出するにあたって、作業者自身が把持し易い把持部１２を選択することができる。
【００６３】
また、本発明に係る穴掘り用ショベルＳでは、第一ショベル本体１（柄部４）と第二ショベル本体２（柄部５）とを相対移動に連結する連結手段３として、それぞれが第一端部及び第二端部を有する少なくとも二つのリンク体８，９を備えた連結手段３が採用され、第一ショベル本体１のショベル部６が第一インク体８の一端部８ａに連結されているため、第一ショベル本体１と第二ショベル本体２とを相対移動させるだけで、一対のショベル部６，７を接離させて土砂を掴んだり排出したりすることができる。また、第一ショベル本体１の柄部４、第二ショベル本体２の柄部５、第一リンク体８，及び第二リンク体９が平行リンクを構成するため、二つの柄部の間隔が不必要に広くなることがなく、穴の内部空間が狭い場合でも、該穴の土砂を確実に掴むことができる。
【００６４】
なお、本実施形態においては、特に言及しなかったが、第二ショベル本体２（柄部５）の足踏部１１及び第一ショベル本体１（柄部４）の把持部１２のそれぞれが、共通する形態で（本実施形態では、棒状に）複数個（本実施形態では、三個づつ）設けられているため、穴や溝の深さに応じて、把持部１２が足踏部１１として使用でき、足踏部１１が把持部１２として使用できる。すなわち、本実施形態に係る穴掘り用ショベルＳは、足踏部１１と把持部１２とを兼用することができる。
【００６５】
なお、本発明に係る穴掘り用ショベルは、上記実施形態に限定されるものではなく、本発明の要旨を逸脱しない範囲で種々の変更が可能である。
【００６６】
上記実施形態において、第一ショベル本体１（柄部４）と第二ショベル本体２（柄部５）とが連結手段３としてのリンク体８，９を介して連結されたが、これに限定されるものではなく、例えば、一対のショベル本体１，２の柄部４，５同士が連結手段としての軸を介して枢結されたものであってもよい。
【００６７】
この場合においても、柄部４，５に把持部１２及び足踏部１１を設けることで、上記実施形態と同様、地盤を効率的に掘削でき、掘削した土砂を円滑に排出することができる。なお、この場合、何れのショベル本体１，２においても、ショベル部６，７は、柄部４，５に直接連結されてもよいことは言うまでもない。
【００６８】
上記実施形態において、第一ショベル本体１と第二ショベル本体２とを連結する連結手段３が二つのリンク体８，９を備えたが、これに限定されるものではなく、連結手段３は、例えば、それぞれが互いに平行状態で配置されることを前提に三つ以上のリンク体を備えてもよい。
【００６９】
上記実施形態においては、第二ショベル本体２のショベル部７のみで地盤を掘削したが、これに限定されるものではなく、第一ショベル本体１のショベル部６のみで地盤を掘削してもよい。この場合、足踏部１１は、第一ショベル本体１の柄部４に取り付けられ、把持部１２は、第二ショベル本体２の柄部５に取り付けられればよい。
【００７０】
また、第一ショベル本体１のショベル部６と第二ショベル本体２のショベル部７とで地盤を掘削するようにしてもよい。この場合、足踏部１１は、第一ショベル本体１の柄部４及び第二ショベル本体の柄部５のそれぞれに取り付けられ、把持部１２は、第一ショベル本体１の柄部４及び第二ショベル本体２の柄部５に取り付けられればよい。この場合においては、それぞれの柄部４，５に足踏部１１と把持部１２とが設けられるため、これらが共通する形態とする場合には、足踏部１１を把持部１２に兼用（或いは把持部１２を足踏部１１に兼用）してもよい。
【００７１】
上記実施形態において、一対のショベル本体１，２の柄部４，５のそれぞれが棒状に形成されたが、これに限定されるものではない。例えば、一対のショベル本体１，２の柄部４，５のうちの少なくとも何れか一方が、伸縮可能に構成されてもよい。このようにすれば、穴の深さに応じて、適宜、柄部４，５の長さが調整可能であり、汎用性が高くなる。
【００７２】
上記実施形態においては、足踏部１１が柄部５の長手方向に間隔をあけて三個設けられ、把持部１２が柄部４の長手方向に間隔をあけて三個設けられているが、これに限定されず、例えば、足踏部１１が柄部５の長手方向に間隔をあけて一個又は四個以上設けられ、把持部１２が柄部４の長手方向に間隔をあけて一個又は四個以上設けられてもよい。また足踏部１１及び把持部１２は、柄部４，５に着脱可能に設けられてもよい。
【００７３】
上記実施形態において、足踏部１１及び把持部１２のそれぞれが、柄部４，５に対して定位置に取り付けられた（固定された）が、例えば、足踏部１１及び把持部１２の少なくとも何れか一方を、柄部４，５に対して軸心方向にスライド可能（位置変更可能）に取り付けてもよい。
【００７４】
このようにすれば、足踏部１１及び把持部１２の少なくとも何れか一方の配置を作業者の作業のし易い配置にすることができる。また、このように足踏部１１及び把持部１２の少なくとも何れか一方を、柄部４，５に対して軸心方向にスライド可能（位置変更可能）に構成すれば、足踏部１１を把持部１２に兼用（或いは把持部１２を足踏部１１に兼用）にすることもできる。
【００７５】
第一ショベル本体１の柄部４に取り付けた把持部１２と、第二ショベル部２の柄部５に取り付けられた足踏部１１とを連結するロック部材１３が設けられたが、これに限定されるものではなく、ロック部材１３は、例えば、一対のショベル本体１，２の柄部４，５を直接係止して相対的な移動を制限するような機構を採用してもよい。
【００７６】
上記実施形態において、第一ショベル本体１の柄部４と第二ショベル本体２の柄部５との相対移動を規制するロック部材１３が設けられたが、これに限定されるものではなく、ロック部材１３は、必要に応じて設けられればよい。
【００７７】
上記実施形態において、一対のショベル部６，７の先端に、櫛歯状や鋸歯状の切り込みを設け、一対のショベル部６，７の先端が互いに噛合うようにしてもよい。このようにすれば、一対のショベル部６，７が閉じられる時に、ショベル部６，７が接触して破損したり、磨耗したりすることを防ぐことができる。
【符号の説明】
【００７８】
１…第一ショベル本体、２…第二ショベル本体、３…連結手段、４，５…柄部、６，７…ショベル部、６ａ，７ａ…ショベルヘッド部、８…第一リンク体，９…第二リンク体、８ａ，９ａ…第一端部、８ｂ，９ｂ…第二端部、８ｃ，８ｄ，９ｃ，９ｄ…リンクプレート、１０ａ，１０ｂ，１０ｃ，１０ｄ…軸、１１…足踏部、１２…把持部、Ｄ…土砂、Ｇ…地盤，Ｓ…穴掘り用ショベル
【図１】
2013083103.tif 000003
【図２】
2013083103.tif 000004
【図３】
2013083103.tif 000005
【図４】
2013083103.tif 000006
【図５】
2013083103.tif 000007
【図６】
2013083103.tif 000008
【図７】
2013083103.tif 000009